(57)【要約】      （修正有）【課題】ピッキングやサムターン回しといった手口がそもそも適用出来ず、ドアの外側で暗証番号の入力をする必要のないようなドアロックシステムを提供する。【解決手段】ドア１の内側の外からは分からない位置に、電子錠２を取り付ける。その家の人は、電子錠２に固有の番号（例、製造シリアル番号）や自分の携帯電話７の番号等を届け出て、ドアロックサービスセンター８と契約を結ぶ。ドアロックサービスセンター８は、それに対応して電子錠操作許可信号を生成し、電子錠２にその信号を認識するデータを記憶させておく。携帯電話７から電子錠操作許可要求信号をドアロックサービスセンター８に送信すると、電子錠操作許可信号が返信される。それを受信した後、携帯電話７より電子錠操作信号を発することにより、電子錠２を施錠または解錠する。【選択図】図１
0003101554.tif 000002
【実用新案登録請求の範囲】
【請求項１】
ドアの内側に取り付けられる電子錠であって、ロック棒を手動操作する手動操作部と、ロック棒を自動操作する自動操作部とを有し、該自動操作部は、電源部と信号受信部と信号照合部とロック棒駆動部とから成っているところの電子錠と、
携帯電話と、
該携帯電話と前記電子錠に対応させて予め電子錠操作許可信号を生成しておき、該携帯電話から予め定められた電子錠操作許可要求信号を受信した場合、該電子錠操作許可信号を返信するドアロックサービスセンターと
により構成され、
該ドアロックサービスセンターからの電子錠操作許可信号受信した携帯電話を操作して電子錠操作信号を発することにより、電子錠の前記自動操作部により施錠または解錠する
ことを特徴とするドアロックシステム。
【考案の詳細な説明】
【技術分野】
【０００１】
本考案は、電子錠を用いてドアを施錠したり解錠したりする、ドアロックシステムに関するものである。
【背景技術】
【０００２】
近年、ドアの鍵が不法に開けられ、物が盗まれたり、人が殺されたりするといった被害が続出している。その手口としては、ピッキングとかサムターン回しとかが知られている。
ピッキングとは、鍵穴に特殊な金属棒を挿入して鍵を開けてしまうという手口である。サムターン回しとは、ドアノブの近くにドアを貫通する穴をドリルで開け、その穴から特殊な道具をドア内側まで挿入し、内側のドアノブに付いているサムターンを９０度回動させて鍵を開けてしまうという手口である。
【０００３】
以上は、機械的な動きのみによって作動する鍵についてであるが、鍵には電子的な作動を取り入れたものがある。そのようなものとしては、ドアの外側に数字ボタンが付いた装置を取り付けておき、暗証番号を入力した時のみドアノブが回動可能とされ、ドアが開けられるようにしたものがある。
しかし、このような電子的な鍵の場合、暗証番号が盗み取られれば容易に開けられてしまうわけであるが、ドアの外側に数字ボタンが付けられているということが致命的な欠点となり、暗証番号は容易に盗み取られてしまう。例えば、ドアの近傍の天井等に予め小さなＣＣＤ撮影素子を取り付けておき、数字ボタンを押す指の動きを撮影すれば、暗証番号は容易に割り出されてしまう。
【考案の開示】
【考案が解決しようとする課題】
【０００４】
本考案は、前記したような従来の鍵にみられた問題点に鑑み、ピッキングやサムターン回しといった手口がそもそも適用出来ず、暗証番号を使用するにしても、ドアの外側で暗証番号の入力をする必要のないようなドアロックシステムを提供することを課題とするものである。
【課題を解決するための手段】
【０００５】
前記課題を解決するため、本考案のドアロックシステムでは、ドアの内側に取り付けられる電子錠であって、ロック棒を手動操作する手動操作部と、ロック棒を自動操作する自動操作部とを有し、該自動操作部は、電源部と信号受信部と信号照合部とロック棒駆動部とから成っているところの電子錠と、携帯電話と、該携帯電話と前記電子錠に対応させて予め電子錠操作許可信号を生成しておき、該携帯電話から予め定められた電子錠操作許可要求信号を受信した場合、該電子錠操作許可信号を返信するドアロックサービスセンターとにより構成され、該ドアロックサービスセンターからの電子錠操作許可信号受信した携帯電話を操作して電子錠操作信号を発することにより、電子錠の前記自動操作部により施錠または解錠することとした。
【考案の効果】
【０００６】
本考案のドアロックシステムによれば、ドアの内側の外からは分からない位置に電子錠が取り付けられているので、ピッキングやサムターン回しの被害を受けることがない。また、電子錠は、ドアロックサービスセンターで生成される複雑な信号を含む電子錠操作信号を、その家の者が持つ携帯電話より受信した時に作動するようにされているので、暗証番号を盗まれるということもなく、第３者に容易に解錠されることがない。
【考案を実施するための最良の形態】
【０００７】
以下、本考案の実施形態を図面に基づいて詳細に説明する。
図１は、本考案のドアロックシステムを示す図である。図１において、１はドア、２は電子錠、３，４はロック棒、５はドアノブ、６は蝶番、７は携帯電話、８はドアロックサービスセンターである。ここで電子錠２とは、電子的な信号により作動する構造を具えている錠のことを指す。
この図でのドア１は、ドアの外側を表している。点線で示してある電子錠２は、ドア１の内側に取り付けられていることを表している。内側に取り付けられているから、外側からドアを見た場合、どの部分に取り付けられているのか全く分からない。
【０００８】
この例では、電子錠２は補助錠として用いており、主たる錠はドアノブ５の部分の錠である。ロック棒３は電子錠２により作動させられ、ロック棒４はドアノブ５の錠により作動させられるロック棒であり、これらの錠は、それぞれロック棒３，４を出没作動させることにより、施錠，解錠がなされる。
ドアノブ５の錠は、従来のものと変わるところはなく、本考案のドアロックシステムが対象としているのは電子錠２の方である。即ち、本考案のドアロックシステムは、電子錠２を、携帯電話７およびドアロックサービスセンター８による電子的信号によらなければ、施錠，解錠できないようにしたシステムである。
このような家にあっては、外出する時には、ドア１の外に出て先ずドアノブ５の錠を施錠した後、電子錠２を本ドアロックシステムを利用して施錠する。外出から帰って来た時には、ドア１の外で本ドアロックシステムを利用して電子錠２を解錠し、次に通常の鍵でドアノブ５の錠を解錠してドア１を開ける。
【０００９】
本考案のドアロックシステムの概要を説明すると、次の通りである。
（１）ドア１の外において施錠または解錠しようとするときには、先ず携帯電話７によりドアロックサービスセンター８へ、電子錠操作許可を要求する信号を送る。
（２）それを受けたドアロックサービスセンター８は、予め契約している人の携帯電話７からの信号かどうかを確認（本人確認）し、確認できたら電子錠操作許可信号を返信する。
（３）その返信を受けた後、携帯電話７より電子錠操作信号を発する。すると、電子錠２が作動する（施錠または解錠する）。
【００１０】
図２は、本考案で使用するドアの構造を示す図である。符号は図１のものに対応しており、９はドアチェーン、１０は手動摘み、１１は防護板である。図２（１）はドア１を内側から見た図であり、図２（２），（３）は、ドア１を上から見下ろした図である。
電子錠２は、ドア１の内側に任意の高さのところに取り付けられる。電子錠２は、電子的信号で作動すると共に、手動摘み１０により手動にても作動し得るようにされている。手動摘み１０は、家人が家の中に居る時に使用するために設けられている。家の中に居る場合は、いちいち携帯電話を操作して施錠なり解錠なりするのは面倒であり、それらは手動で行った方が簡便だからである。
図２（３）は、電子錠２に対して防護板１１を施した例を示している。防護板１１としては、硬い金属板（例、鋼板等）を用いる。これは、ドア１の外側からドリル等で電子錠２を破壊しようとしても、容易には破壊されないようにしたものである。
【００１１】
図３は、本考案で使用する電子錠２の構成の１例を示す図であり、２０は自動操作部、２１は電源部、２２は信号受信部、２３は信号照合部、２４はロック棒駆動部、２５は手動操作部である。
自動操作部２０は、電源部２１，信号受信部２２，信号照合部２３およびロック棒駆動部２４で構成される。電源部２１は、信号受信部２２，信号照合部２３およびロック棒駆動部２４を動作させるための電源を供給する。
【００１２】
信号受信部２２は、携帯電話７からの信号を受信する部分である。
信号照合部２３は、受信した信号を照合する部分である。ここでの照合とは、受信信号が、この電子錠を操作するための予め定められた信号に間違いないかどうかを調べることである。ここには、この電子錠２を識別するデータとか、この家の人が持つ携帯電話７を識別するデータ等を予め記憶させておき、それと比べる。また、施錠せよとの信号なのか解錠せよとの信号なのかを識別するデータも記憶させておく。
ロック棒駆動部２４は、ロック棒３を出したり引っ込めたりする部分である。駆動は、バネや電磁力を用いて行うことが出来る。
手動操作部２５は、前記した手動摘み１０を操作することにより、ロック棒３を出したり引っ込めたりするところである。
【００１３】
次に、図１で示した各種信号（即ちこのドアロックシステムで使用される信号）について、更に詳しく説明する。
〔電子錠操作許可信号〕
ドアロックサービスセンター８は、コンピュータを使用して信号を処理すると共に、信号を送受信する機能を有し、電子錠２を施錠，解錠するための信号を管理するところである。ドア１の家の者は、電子錠２や自分に関しての所用のデータを提示して、ドアロックサービスセンター８と契約する。例えば、電子錠２に関してのデータとしては、製造メーカー名，型名，製造シリアル番号等が考えられ、自分（ドア１の家の者）に関してのデータとしては、携帯電話７の番号，住所，氏名，自分で決めた暗証番号等が考えられる。
ドアロックサービスセンター８は、提示されたデータを基に、その電子錠２に対応させて、操作を許可する信号（信号照合部２２での照合をパスする信号）を生成する。その信号が、電子錠操作許可信号である。
この信号は、例えば、「製造メーカー名を表す数字」，「製造シリアル番号」，「携帯電話の番号」，「暗証番号」を単に連ねて生成することも出来るし、更に別途用意した数字を途中に混ぜて生成することも出来る。いずれにしても、このようにして生成された電子錠操作許可信号は、第３者が容易には生成し得ない信号である。
【００１４】
〔電子錠操作許可要求信号〕
これは、前記した電子錠操作許可信号を出してくれるよう要求する信号であり、携帯電話７から発する。この要求信号は、予めドアロックサービスセンター８との間で適宜定めておく。例えば、携帯電話の番号とか暗証番号等を組み合わせたものとすることが出来る。これを受信したドアロックサービスセンター８は、受信信号を基に本人確認を行なった後、要求された電子錠２に対応した電子錠操作許可信号を、該携帯電話７に返信する。
【００１５】
〔電子錠操作信号〕
電子錠操作許可信号の返信を受けると、予め定められた操作要領で携帯電話７を操作する（例えば、施錠をする時は所定操作の最後で「１」を押し、解錠する時は所定操作の最後で「０」を押すなどする）ことにより、ドア１の電子錠２に向かって電子錠操作信号が発される。電子錠操作信号は、電子錠操作許可信号の内容を含む信号とすることが出来る。
その信号が図３の信号受信部２１で受信され、信号照合部２２での照合をパスすれば、ロック棒駆動部２３に駆動信号が伝えられる。施錠せよとの駆動信号であれば、ロック棒３は突出するように駆動され、解錠せよとの駆動信号であれば、ロック棒３は引っ込めるように駆動される。
【００１６】
ところで、携帯電話は一家に１台とは限らない。何人かが、それぞれ別の携帯電話を持っているケースの方がむしろ多くなって来ている。そのようなケースに対処するためには、電子錠２に複数個の携帯電話に対応するデータを記憶できるような記憶容量を持たせておき、それに各携帯電話に対応したデータを記憶させておけばよい。また、ドアロックサービスセンター８の方も、各携帯電話に対応させて電子錠操作許可信号等を生成しておけばよい。そうすれば、家族が持つどの携帯電話を使っても、施錠，解錠をすることが可能となる。
【００１７】
また、ドア１が賃貸の部屋のドアであった場合、賃借人が代わっても電子錠２は交換する必要がなく、ただ作動に使用するデータだけ新しくすればよい。即ち、ドアロックサービスセンター８は、前の賃借人との契約が終了すれば、前の賃借人のために生成していた信号を抹消すると共に、電子錠２に記憶させていたデータを抹消する。一方、新賃借人はドアロックサービスセンター８と新たに契約し、新たに自分用のデータを生成して貰い、電子錠２に所用のデータを記憶させて貰えばよい。従って、電子錠２を新たなものに交換する必要はなくなり、新賃借人が負担させられる費用は、その分だけ少なくなる。
【００１８】
更に、電子錠２の信号受信部２２の受信能力を、ドア１の周辺（例、３〜４ｍ程度の範囲内）から発射された信号のみ受信する程度のものにしておくと、現実にドア１の前に立って携帯電話を操作する場合にのみ、電子錠２を操作し得るようにすることが出来る。こうしておけば、遠く離れたところで誤って携帯電話を操作し、うっかり電子錠２を解錠してしまうというようなことが防止出来る。
なお、前記した例では、電子錠２を補助錠として用いた場合を示したが、主たる錠として用いる場合でも同様に適用出来る。また、図３の電源部２１としては、電池を用いても良いし、商用電源を用いてもよい。商用電源を用いる場合には、信号受信部２２等の動作電圧に適合するような適宜のアダプターを介し、家屋内のコンセントより導く。
【図面の簡単な説明】
【００１９】
【図１】本考案のドアロックシステムを示す図
【図２】本考案で使用するドアの構造を示す図
【図３】本考案で使用する電子錠の構成の１例を示す図
【符号の説明】
【００２０】
１…ドア、２…電子錠、３，４…ロック棒、５…ドアノブ、６…蝶番、７…携帯電話、８…ドアロックサービスセンター、９…ドアチェーン、１０…手動摘み、１１…防護板、２０…自動操作部、２１…電源部、２２…信号受信部、２３…信号照合部、２４…ロック棒駆動部、２５…手動操作部
【図１】
0003101554.tif 000003
【図２】
0003101554.tif 000004
【図３】
0003101554.tif 000005
【手続補正書】
【提出日】平成15年12月5日(2003.12.5)
【手続補正１】
【補正対象書類名】実用新案登録請求の範囲
【補正対象項目名】全文
【補正方法】変更
【補正の内容】
【実用新案登録請求の範囲】
【請求項１】
ドアの内側に取り付けられる電子錠であって、ロック棒を手動操作する手動操作部と、ロック棒を自動操作する自動操作部とを有し、該自動操作部は、電源部と信号受信部と信号照合部とロック棒駆動部とから成っているところの電子錠と、
携帯電話と、
該携帯電話と前記電子錠に対応させて予め電子錠操作許可信号を生成しておき、該携帯電話から予め定められた電子錠操作許可要求信号を受信した場合、該電子錠操作許可信号を返信するドアロックサービスセンター装置と
により構成され、
該ドアロックサービスセンター装置からの電子錠操作許可信号を受信した携帯電話を操作して電子錠操作信号を発することにより、電子錠の前記自動操作部により施錠または解錠する
ことを特徴とするドアロックシステム。
【手続補正２】
【補正対象書類名】明細書
【補正対象項目名】全文
【補正方法】変更
【補正の内容】
【考案の詳細な説明】
【技術分野】
【０００１】
本考案は、電子錠を用いてドアを施錠したり解錠したりする、ドアロックシステムに関するものである。
【背景技術】
【０００２】
近年、ドアの鍵が不法に開けられ、物が盗まれたり、人が殺されたりするといった被害が続出している。その手口としては、ピッキングとかサムターン回しとかが知られている。
ピッキングとは、鍵穴に特殊な金属棒を挿入して鍵を開けてしまうという手口である。サムターン回しとは、ドアノブの近くにドアを貫通する穴をドリルで開け、その穴から特殊な道具をドア内側まで挿入し、内側のドアノブに付いているサムターンを９０度回動させて鍵を開けてしまうという手口である。
【０００３】
以上は、機械的な動きのみによって作動する鍵についてであるが、鍵には電子的な作動を取り入れたものがある。そのようなものとしては、ドアの外側に数字ボタンが付いた装置を取り付けておき、暗証番号を入力した時のみドアノブが回動可能とされ、ドアが開けられるようにしたものがある。
しかし、このような電子的な鍵の場合、暗証番号が盗み取られれば容易に開けられてしまうわけであるが、ドアの外側に数字ボタンが付けられているということが致命的な欠点となり、暗証番号は容易に盗み取られてしまう。例えば、ドアの近傍の天井等に予め小さなＣＣＤ撮影素子を取り付けておき、数字ボタンを押す指の動きを撮影すれば、暗証番号は容易に割り出されてしまう。
【考案の開示】
【考案が解決しようとする課題】
【０００４】
本考案は、前記したような従来の鍵にみられた問題点に鑑み、ピッキングやサムターン回しといった手口がそもそも適用出来ず、暗証番号を使用するにしても、ドアの外側で暗証番号の入力をする必要のないようなドアロックシステムを提供することを課題とするものである。
【課題を解決するための手段】
【０００５】
前記課題を解決するため、本考案のドアロックシステムでは、ドアの内側に取り付けられる電子錠であって、ロック棒を手動操作する手動操作部と、ロック棒を自動操作する自動操作部とを有し、該自動操作部は、電源部と信号受信部と信号照合部とロック棒駆動部とから成っているところの電子錠と、携帯電話と、該携帯電話と前記電子錠に対応させて予め電子錠操作許可信号を生成しておき、該携帯電話から予め定められた電子錠操作許可要求信号を受信した場合、該電子錠操作許可信号を返信するドアロックサービスセンター装置とにより構成され、該ドアロックサービスセンター装置からの電子錠操作許可信号を受信した携帯電話を操作して電子錠操作信号を発することにより、電子錠の前記自動操作部により施錠または解錠することとした。
【考案の効果】
【０００６】
本考案のドアロックシステムによれば、ドアの内側の外からは分からない位置に電子錠が取り付けられているので、ピッキングやサムターン回しの被害を受けることがない。また、電子錠は、ドアロックサービスセンターで生成される複雑な信号を含む電子錠操作信号を、その家の者が持つ携帯電話より受信した時に作動するようにされているので、暗証番号を盗まれるということもなく、第３者に容易に解錠されることがない。
【考案を実施するための最良の形態】
【０００７】
以下、本考案の実施形態を図面に基づいて詳細に説明する。
図１は、本考案のドアロックシステムを示す図である。図１において、１はドア、２は電子錠、３，４はロック棒、５はドアノブ、６は蝶番、７は携帯電話、８はドアロックサービスセンター装置である。ここで電子錠２とは、電子的な信号により作動する構造を具えている錠のことを指す。
この図でのドア１は、ドアの外側を表している。点線で示してある電子錠２は、ドア１の内側に取り付けられていることを表している。内側に取り付けられているから、外側からドアを見た場合、どの部分に取り付けられているのか全く分からない。
【０００８】
この例では、電子錠２は補助錠として用いており、主たる錠はドアノブ５の部分の錠である。ロック棒３は電子錠２により作動させられ、ロック棒４はドアノブ５の錠により作動させられるロック棒であり、これらの錠は、それぞれロック棒３，４を出没作動させることにより、施錠，解錠がなされる。
ドアノブ５の錠は、従来のものと変わるところはなく、本考案のドアロックシステムが対象としているのは電子錠２の方である。即ち、本考案のドアロックシステムは、電子錠２を、携帯電話７およびドアロックサービスセンター装置８による電子的信号によらなければ、施錠，解錠できないようにしたシステムである。
このような家にあっては、外出する時には、ドア１の外に出て先ずドアノブ５の錠を施錠した後、電子錠２を本ドアロックシステムを利用して施錠する。外出から帰って来た時には、ドア１の外で本ドアロックシステムを利用して電子錠２を解錠し、次に通常の鍵でドアノブ５の錠を解錠してドア１を開ける。
【０００９】
本考案のドアロックシステムの概要を説明すると、次の通りである。
（１）ドア１の外において施錠または解錠しようとするときには、先ず携帯電話７によりドアロックサービスセンター装置８へ、電子錠操作許可を要求する信号を送る。
（２）それを受けたドアロックサービスセンター装置８は、予め契約している人の携帯電話７からの信号かどうかを確認（本人確認）し、確認できたら電子錠操作許可信号を返信する。
（３）その返信を受けた後、携帯電話７より電子錠操作信号を発する。すると、電子錠２が作動する（施錠または解錠する）。
【００１０】
図２は、本考案で使用するドアの構造を示す図である。符号は図１のものに対応しており、９はドアチェーン、１０は手動摘み、１１は防護板である。図２（１）はドア１を内側から見た図であり、図２（２），（３）は、ドア１を上から見下ろした図である。
電子錠２は、ドア１の内側に任意の高さのところに取り付けられる。電子錠２は、電子的信号で作動すると共に、手動摘み１０により手動にても作動し得るようにされている。手動摘み１０は、家人が家の中に居る時に使用するために設けられている。家の中に居る場合は、いちいち携帯電話を操作して施錠なり解錠なりするのは面倒であり、それらは手動で行った方が簡便だからである。
図２（３）は、電子錠２に対して防護板１１を施した例を示している。防護板１１としては、硬い金属板（例、鋼板等）を用いる。これは、ドア１の外側からドリル等で電子錠２を破壊しようとしても、容易には破壊されないようにしたものである。
【００１１】
図３は、本考案で使用する電子錠２の構成の１例を示す図であり、２０は自動操作部、２１は電源部、２２は信号受信部、２３は信号照合部、２４はロック棒駆動部、２５は手動操作部である。
自動操作部２０は、電源部２１，信号受信部２２，信号照合部２３およびロック棒駆動部２４で構成される。電源部２１は、信号受信部２２，信号照合部２３およびロック棒駆動部２４を動作させるための電源を供給する。
【００１２】
信号受信部２２は、携帯電話７からの信号を受信する部分である。
信号照合部２３は、受信した信号を照合する部分である。ここでの照合とは、受信信号が、この電子錠を操作するための予め定められた信号に間違いないかどうかを調べることである。ここには、この電子錠２を識別するデータとか、この家の人が持つ携帯電話７を識別するデータ等を予め記憶させておき、それと比べる。また、施錠せよとの信号なのか解錠せよとの信号なのかを識別するデータも記憶させておく。
ロック棒駆動部２４は、ロック棒３を出したり引っ込めたりする部分である。駆動は、バネや電磁力を用いて行うことが出来る。
手動操作部２５は、前記した手動摘み１０を操作することにより、ロック棒３を出したり引っ込めたりするところである。
【００１３】
次に、図１で示した各種信号（即ちこのドアロックシステムで使用される信号）について、更に詳しく説明する。
〔電子錠操作許可信号〕
ドアロックサービスセンター装置８は、コンピュータを使用して信号を処理すると共に、信号を送受信する機能を有し、電子錠２を施錠，解錠するための信号を管理する装置である。ドア１の家の者は、電子錠２や自分に関しての所用のデータを提出する。例えば、電子錠２に関してのデータとしては、製造メーカー名，型名，製造シリアル番号等が考えられ、自分（ドア１の家の者）に関してのデータとしては、携帯電話７の番号，住所，氏名，自分で決めた暗証番号等が考えられる。
ドアロックサービスセンター装置８は、提出されたデータを基に、その電子錠２に対応させて、操作を許可する信号（信号照合部２２での照合をパスする信号）を生成する。その信号が、電子錠操作許可信号である。
この信号は、例えば、「製造メーカー名を表す数字」，「製造シリアル番号」，「携帯電話の番号」，「暗証番号」を単に連ねて生成することも出来るし、更に別途用意した数字を途中に混ぜて生成することも出来る。いずれにしても、このようにして生成された電子錠操作許可信号は、第３者が容易には生成し得ない信号である。
【００１４】
〔電子錠操作許可要求信号〕
これは、前記した電子錠操作許可信号を出してくれるよう要求する信号であり、携帯電話７から発する。この要求信号は、予めドアロックサービスセンター装置８との間で適宜定めておく。例えば、携帯電話の番号とか暗証番号等を組み合わせたものとすることが出来る。これを受信したドアロックサービスセンター装置８は、受信信号を基に本人確認を行なった後、要求された電子錠２に対応した電子錠操作許可信号を、該携帯電話７に返信する。
【００１５】
〔電子錠操作信号〕
電子錠操作許可信号の返信を受けると、予め定められた操作要領で携帯電話７を操作する（例えば、施錠をする時は所定操作の最後で「１」を押し、解錠する時は所定操作の最後で「０」を押すなどする）ことにより、ドア１の電子錠２に向かって電子錠操作信号が発される。電子錠操作信号は、電子錠操作許可信号の内容を含む信号とすることが出来る。
その信号が図３の信号受信部２１で受信され、信号照合部２２での照合をパスすれば、ロック棒駆動部２３に駆動信号が伝えられる。施錠せよとの駆動信号であれば、ロック棒３は突出するように駆動され、解錠せよとの駆動信号であれば、ロック棒３は引っ込めるように駆動される。
【００１６】
ところで、携帯電話は一家に１台とは限らない。何人かが、それぞれ別の携帯電話を持っているケースの方がむしろ多くなって来ている。そのようなケースに対処するためには、電子錠２に複数個の携帯電話に対応するデータを記憶できるような記憶容量を持たせておき、それに各携帯電話に対応したデータを記憶させておけばよい。また、ドアロックサービスセンター装置８の方も、各携帯電話に対応させて電子錠操作許可信号等を生成しておけばよい。そうすれば、家族が持つどの携帯電話を使っても、施錠，解錠をすることが可能となる。
【００１７】
また、ドア１が賃貸の部屋のドアであった場合、賃借人が代わっても電子錠２は交換する必要がなく、ただ作動に使用するデータだけ新しくすればよい。即ち、ドアロックサービスセンター装置８は、前の賃借人との契約が終了すれば、前の賃借人のために生成していた信号を抹消すると共に、電子錠２に記憶させていたデータを抹消する。一方、新賃借人は、ドアロックサービスセンター装置８に新たに自分用のデータを生成して貰い、電子錠２に所用のデータを記憶させて貰えばよい。従って、電子錠２を新たなものに交換する必要はなくなり、新賃借人が負担させられる費用は、その分だけ少なくなる。
【００１８】
更に、電子錠２の信号受信部２２の受信能力を、ドア１の周辺（例、３〜４ｍ程度の範囲内）から発射された信号のみ受信する程度のものにしておくと、現実にドア１の前に立って携帯電話を操作する場合にのみ、電子錠２を操作し得るようにすることが出来る。こうしておけば、遠く離れたところで誤って携帯電話を操作し、うっかり電子錠２を解錠してしまうというようなことが防止出来る。
なお、前記した例では、電子錠２を補助錠として用いた場合を示したが、主たる錠として用いる場合でも同様に適用出来る。また、図３の電源部２１としては、電池を用いても良いし、商用電源を用いてもよい。商用電源を用いる場合には、信号受信部２２等の動作電圧に適合するような適宜のアダプターを介し、家屋内のコンセントより導く。
【図面の簡単な説明】
【００１９】
【図１】本考案のドアロックシステムを示す図
【図２】本考案で使用するドアの構造を示す図
【図３】本考案で使用する電子錠の構成の１例を示す図
【符号の説明】
【００２０】
１…ドア、２…電子錠、３，４…ロック棒、５…ドアノブ、６…蝶番、７…携帯電話、８…ドアロックサービスセンター装置、９…ドアチェーン、１０…手動摘み、１１…防護板、２０…自動操作部、２１…電源部、２２…信号受信部、２３…信号照合部、２４…ロック棒駆動部、２５…手動操作部
【手続補正３】
【補正対象書類名】図面
【補正対象項目名】図１
【補正方法】変更
【補正の内容】
【図１】
0003101554.tif 000006